(57)【要約】【課題】閉方向へのパネルの操作性向上を可能とした遮蔽装置を提供する。【解決手段】互いに平行に配置された３つ以上の上部レール３と、上部レール３の各々に吊り下げ支持される複数のパネル２ａ〜２ｃと、全閉状態において第１パネル２ａおよび第２パネル２ｃの各々に備えられ、第１パネル２ａおよび第２パネル２ｃの各々を閉方向に移動させる自閉機構４ａ，４ｂとを備え、全開状態から第１パネル２ａを閉方向に移動させるときに、第２パネル２ｃを同方向に移動させることを契機として、パネル２ｂを介して、第１パネル２ａの閉方向への移動を開始させる。【選択図】図１
2018193719.tif 000002
【特許請求の範囲】
【請求項１】
複数のパネルと、
前記複数のパネルを引き違い操作可能に吊下げ支持する上部レールと、
前記複数のパネルのうち、前記パネルの移動方向における何れかの端部に位置する前記パネルに備えられ、前記端部に位置する前記パネルを閉方向に移動させる自閉機構と、
前記複数のパネルにおける互いに隣り合う前記パネルのうち、一方の前記パネルの移動に従って他方の前記パネルを連動させる連動部材と、
前記パネルの全てが前記移動方向の何れかの端部において重なった全開状態において、前記自閉機構を備えた前記パネルの前記閉方向への移動をロックするロック部とを備え、
前記自閉機構を備えた前記パネルが第１パネルであり、前記移動方向における前記第１パネルと反対側の端部に位置する前記パネルが第２パネルであり、
前記全開状態から前記第１パネルを前記閉方向に移動させるときに、前記第２パネルを同方向に移動させることを契機として、前記第１パネルの前記ロック部によるロックを解除し、前記第１パネルの移動を開始させる
遮蔽装置。
【請求項２】
前記自閉機構は第１自閉機構であり、
前記ロック部は第１ロック部であり、
前記第２パネルは前記第２パネルを閉方向に移動させる第２自閉機構と、
前記全開状態において、前記第２パネルの前記閉方向への移動をロックする第２ロック部を備え、
前記全開状態から前記第２パネルを前記閉方向に移動させるときに、前記第１パネルを同方向に移動させることを契機として、前記第１パネルと前記第２パネルの間のパネルを介して、前記第２パネルの前記第２ロック部によるロックを解除し、前記第２パネルの移動を開始させる
請求項１に記載の遮蔽装置。
【請求項３】
前記連動部材は、パネルガイドであり、
前記パネルガイドは、固定片と案内片とを備え、
前記固定片が互いに隣り合う前記パネルのうちで一方のパネルに固定され、前記案内片が他方のパネルの案内溝に係合される
請求項１または２に記載の遮蔽装置。
【請求項４】
前記連動部材は、前記第１パネルまたは前記第２パネルが備える押圧突部であり、
前記押圧突部は、前記押圧突部を備えたパネルと隣接する前記パネルを押圧する
請求項１ないし３のうち何れか１項に記載の遮蔽装置。
【請求項５】
前記パネルは、引手を備え、
前記引手は、前記パネルに対して凹部で構成されている
請求項１ないし４のうち何れか１項に記載の遮蔽装置。
【請求項６】
前記パネルは、前記上部レールに沿って移動する上部ランナによって吊り下げ支持されており、
前記自閉機構を備えた前記パネルの前記上部ランナには、前記閉方向に移動するときに、前記パネルを停止状態とし、その後前記停止状態を解除するストッパを備える
請求項１ないし５のうち何れか１項に記載の遮蔽装置。
【請求項７】
前記ストッパは、前記ロック部を備えている
請求項６に記載の遮蔽装置。
【発明の詳細な説明】
【技術分野】
【０００１】
本発明は、上部レールに沿ってパネルを自動的に閉方向に移動させる遮蔽装置に関する。
【背景技術】
【０００２】
従来、室内空間を第１空間と第２空間に区画する間仕切りとしての遮蔽装置は、複数枚のパネルが下部レールと上部レールとの間で移動可能に支持されている。そして、遮蔽装置の中には、パネルを自動的に閉方向に移動させる自閉機構を備えたものがある（特許文献１参照）。
【先行技術文献】
【特許文献】
【０００３】
【特許文献１】特開２０１５−５２１９９号公報
【発明の概要】
【発明が解決しようとする課題】
【０００４】
ところで、遮蔽装置が全開状態にあるとき、利用者は第１空間だけでなく第２空間に居ることもある。全閉状態にパネルを操作する場合において、第１空間から見て手前に位置するパネルを閉方向に操作するパネルとすると、利用者が第２空間にいるときには、第１空間まで移動するか、または、第１空間側にあるパネルまで手を回して操作する必要があり、パネルを全閉状態にする操作が面倒である。
【０００５】
本発明は、閉方向へのパネルの操作性向上を可能とした遮蔽装置を提供することを目的とする。
【課題を解決するための手段】
【０００６】
上記課題を解決する遮蔽装置は、複数のパネルと、前記複数のパネルを引き違い操作可能に吊下げ支持する上部レールと、前記複数のパネルのうち、前記パネルの移動方向における何れかの端部に位置する前記パネルに備えられ、前記端部に位置する前記パネルを閉方向に移動させる自閉機構と、前記複数のパネルにおける互いに隣り合う前記パネルのうち、一方の前記パネルの移動に従って他方の前記パネルを連動させる連動部材と、前記パネルの全てが前記移動方向の何れかの端部において重なった全開状態において、前記自閉機構を備えた前記パネルの前記閉方向への移動をロックするロック部とを備え、前記自閉機構を備えた前記パネルが第１パネルであり、前記移動方向における前記第１パネルと反対側の端部に位置する前記パネルが第２パネルであり、前記全開状態から前記第１パネルを前記閉方向に移動させるときに、前記第２パネルを同方向に移動させることを契機として、前記第１パネルの前記ロック部によるロックを解除し、前記第１パネルの移動を開始させる。
【０００７】
上記遮蔽装置において、前記自閉機構は第１自閉機構であり、前記ロック部は第１ロック部であり、前記第２パネルは前記第２パネルを閉方向に移動させる第２自閉機構と、前記全開状態において、前記第２パネルの前記閉方向への移動をロックする第２ロック部を備え、前記全開状態から前記第２パネルを前記閉方向に移動させるときに、前記第１パネルを同方向に移動させることを契機として、前記第１パネルと前記第２パネルの間のパネルを介して、前記第２パネルの前記第２ロック部によるロックを解除し、前記第２パネルの移動を開始させることが好ましい。
【０００８】
上記遮蔽装置において、前記連動部材は、前記連動部材は、パネルガイドであり、前記パネルガイドは、固定片と案内片とを備え、前記固定片が互いに隣り合う前記パネルのうちで一方のパネルに固定され、前記案内片が他方のパネルの案内溝に係合されることが好ましい。
【０００９】
上記遮蔽装置において、前記連動部材は、前記第１パネルが備え、前記第１パネルと隣接する前記パネルを押圧する押圧突部であることが好ましい。
上記遮蔽装置において、前記パネルは、引手を備え、前記引手は、前記パネルに対して凹部で構成されていることが好ましい。
【００１０】
上記遮蔽装置において、前記パネルは、前記上部レールに沿って移動する上部ランナによって吊り下げ支持されており、前記自閉機構を備えた前記パネルの前記上部ランナには、前記閉方向に移動するときに、前記パネルを停止状態とし、その後前記停止状態を解除するストッパを備えることが好ましい。
上記遮蔽装置において、前記ストッパは、前記ロック部を備えていることが好ましい。
【発明の効果】
【００１１】
本発明によれば、閉方向へのパネルの操作性向上を可能とした遮蔽装置を提供することができる。
【図面の簡単な説明】
【００１２】
【図１】（ａ）は、実施形態における間仕切りの正面図、（ｂ）は、実施形態における間仕切りの上面図、（ｃ）は、実施形態における間仕切り遮蔽装置の側面図。
【図２】パネルガイドの取付状態を示す要部斜視図。
【図３】実施形態における上部ランナ、ストッパ、および、自閉機構の要部斜視図。
【図４】実施形態における上部ランナ、ストッパ、および、自閉機構の要部断面図。
【図５】実施形態における自閉機構を備えた縦框の断面図。
【図６】実施形態における自閉機構を構成する移動体の分解斜視図。
【図７】実施形態におけるストッパの要部分解斜視図。
【図８】実施形態における回転ベースおよび移動ベースを裏側から見た斜視図。
【図９】実施形態において最右のパネルが開方向に移動し、真ん中のパネルと重なった状態を示す図であり、（ａ）上面図、（ｂ）は正面図。
【図１０】実施形態において図９の状態から全開状態に遷移した状態を示す図であり、（ａ）上面図、（ｂ）は正面図。
【図１１】実施形態において上部ランナが開方向に移動するときの要部上面図。
【図１２】実施形態において上部ランナが閉方向への移動を再開し移動し始めたときの要部上面図。
【図１３】実施形態において上部ランナが閉方向への移動しているときの要部上面図。
【図１４】実施形態において最左のパネルが開方向に移動し、真ん中のパネルと重なった状態を示す図であり、（ａ）上面図、（ｂ）は正面図。
【図１５】実施形態において図１４の状態から全開状態に遷移した状態を示す図であり、（ａ）上面図、（ｂ）は正面図。
【図１６】ストッパを備えないパネルにおいて、ロック部およびその周辺構造を示す斜視図。
【図１７】パネルスクリーンの斜視図。
【発明を実施するための形態】
【００１３】
以下、図１〜図１７を参照して、本発明に係る遮蔽装置の一実施形態について説明する。
図１（ａ）〜（ｃ）に示すように、遮蔽装置としての間仕切り１は、引戸であって、パネル２ａ〜２ｃが天井面に設けられる上部レール３ａ〜３ｃに沿って支持されている。すなわち、パネル２ａは、上部レール３ａによって吊り下げ支持され、パネル２ｂは、上部レール３ｂに吊り下げ支持され、パネル２ｃは、上部レール３ｃに吊り下げ支持されている。上部レール３ａ〜３ｃは、互いに平行で、かつ、近接して天井面に設けられ、各上部レール３ａ〜３ｃに引き違い操作可能に吊り下げ支持されている。図１の例では、パネル２ａが手前側でかつ全閉状態で最右に配置され、パネル２ｃが奥側でかつ全閉状態で最左に配置され、パネル２ｂは、パネル２ａとパネル２ｃの間の真ん中に配置されている。
【００１４】
図１（ａ）〜（ｃ）において、矢印Ｄ１方向はパネル２ａを操作して間仕切り１を全開状態にする開方向であり、矢印Ｄ２方向はこれとは逆に全閉状態とする閉方向である。また、矢印Ｄ２方向はパネル２ｃを操作して間仕切り１を全開状態にする開方向であり、矢印Ｄ１方向はこれとは逆に全閉状態とする閉方向である。同図では、パネル２ａ〜２ｃの全閉状態を示している。
【００１５】
パネル２ａには、パネル２ｂと対向するパネル面であって矢印Ｄ２方向における縦框１２ｂの上端部または下端部に、ドアストッパとしての押圧突部９が設けられている。押圧突部９は、パネル２ｃにパネル２ｂとパネル２ａが重なった全開状態となったときに引き残し部分を設ける。また、パネル２ａとパネル２ｂ、および、パネル２ｂとパネル２ｃとは、パネル同士を繋ぎ連動させる連動部材としてのパネルガイド７によって接続されている。先頭のパネル２ａが開方向（矢印Ｄ１方向）に移動されたときには、パネル２ａがパネル２ｂに重なると、次いで、連動部材として押圧突部９がパネル２ｂを押して、同方向に移動されることになる。また、パネル２ａを矢印Ｄ２方向に移動するとき、パネル２ａは、パネルガイド７を介してパネル２ｂを引き連れて移動する。
【００１６】
また、床には、全閉状態においてパネル２ａ，２ｃの揺れを抑制する固定金具としての床付けマグネット８が設置されている。一例として、床付けマグネット８は、図１（ａ）中最右に位置しているパネル２ａの矢印Ｄ２方向の下端部に対向する床に設置されており、上部にパネル２ａが来ると、パネル２ａの下端部に配置されたマグネットなどで金具が吸引されて引き上げられ、パネル２ａに係合される。同様に、床付けマグネット８は、最左に位置しているパネル２ｃの矢印Ｄ１方向の下端部に対向する床にも設置されている。
【００１７】
縦框１２ａ，１２ｂは、ゴム材などのクッション１９が設けられている（図４参照）。具体的に、パネル２ａ〜２ｃのうちでパネル２ａの矢印Ｄ２方向の縦框１２ｂ、および、パネル２ｃの矢印Ｄ１方向の縦框１２ｂは、壁部３１ｂ，６６と突き当たる縦框であり、それ以外の縦框１２ａ，１２ｂは、壁部３１ｂ，６６と突き当たらない縦框である。一例として、壁部３１ｂ，６６と突き当たらない縦框１２ａ，１２ｂに配置されるクッション１９は、壁部３１ｂ，６６の当たりを和らげるクッション部１９ａと、隣接するパネル２との隙間を塞ぐ弾性片１９ｂとを備えている。クッション部１９ａは、内部が中空構造であり、弾性片１９ｂは、クッション部１９ａと一体に形成されている。なお、壁部３１ｂ，６６と突き当たる縦框１２ｂのクッション１９は、一例として、クッション部１９ａだけを備えており、弾性片１９ｂを備えていない。
以下、単にパネル２ａ〜２ｃをパネル２ともいう。また、上部レール３ａ〜３ｃを上部レール３ともいう。
【００１８】
間仕切り１は、パネルを自動的に閉方向に移動させる自閉機構４ａ，４ｂを備えている。第１自閉機構としての自閉機構４ａは、パネル２ａに備えられ、第２自閉機構としての自閉機構４ｂは、パネル２ｃに備えられる。したがって、開いた状態においてパネル２ａから手を離したとき、パネル２ａは、自閉機構４ａにより矢印Ｄ２方向に移動を開始する。また、開いた状態においてパネル２ｃから手を離したとき、パネル２ｃは、自閉機構４ｂにより矢印Ｄ１方向に移動を開始する。
【００１９】
各パネル２ａ，２ｃにおいて、自閉機構４ａ，４ｂの主たる部品は、パネル２ａ，２ｃにおいて、開方向（パネル２ａであれば矢印Ｄ１方向、パネル２ｃであれば矢印Ｄ２方向）に位置する縦框１２ａに配置される。なお、パネル２ｂの縦框およびパネル２ａ，２ｃにおいて自閉機構４ａ，４ｂの主たる部品を備えない縦框を縦框１２ｂという。
【００２０】
また、パネル２ａは、自閉機構４ａに対応して、パネル２ａが矢印Ｄ２方向に移動を開始したときに同方向への移動を停止状態としその後停止状態を解除するストッパ５ａを備えている。したがって、パネル２ａが矢印Ｄ２方向への移動を開始したとき、パネル２ａは、停止して開状態を維持し、利用者によってパネル２ａを矢印Ｄ２方向への移動する操作が再度されたときに、矢印Ｄ２方向への移動を再開する。また、パネル２ｃは、自閉機構４ｂに対応して、パネル２ｃが矢印Ｄ１方向に移動を開始したときに同方向への移動を停止状態としその後停止状態を解除するストッパ５ｂを備えている。したがって、パネル２ｃが矢印Ｄ１方向への移動を開始したとき、パネル２ｃは、停止して開状態を維持し、利用者によってパネル２ｃを矢印Ｄ１方向への移動する操作が再度されたときに、矢印Ｄ１方向への移動を再開する。
【００２１】
各パネル２は、上端部に２つの上部ランナ６を備えている。ここで、パネル２ａ，２ｃにおいて、自閉機構４ａ，４ｂの主たる部品の近くに位置する上部ランナが６ａであり、自閉機構４ａ，４ｂの主たる部品から離れた上部ランナが上部ランナ６ｂである。また、パネル２ｂにおける２つの上部ランナが上部ランナ６ｂである。ストッパ５ａ，５ｂは、上部ランナが６ａに対して、自閉機構４ａ，４ｂの主たる部品が配置された縦框１２ａに近い開方向（パネル２ａであれば矢印Ｄ１方向、パネル２ｃであれば矢印Ｄ２方向）の端部に連結される。以下、上部ランナ６ａ，６ｂを上部ランナ６ともいう。
【００２２】
各パネル２は、パネル部１１と、縦枠としての縦框１２ａ，１２ｂと、横枠としての横框１３ａ，１３ｂとを備えている。パネル部１１は、矩形形状を有しており、各面は、種々の装飾が施されている。一例として、パネル部１１は、遮光性を有していてもよいし、透光性を有していてもよい。また、一部が透光性を有し、残りが遮光性であってもよい。パネル２ａ，２ｃのパネル部１１では、縦辺に縦框１２ａ，１２ｂが取り付けられ、上下の辺に横框１３ａ，１３ｂが取り付けられる。また、パネル２ｂでは、両縦辺に縦框１２ｂが取り付けられ、上下の辺に横框１３ａ，１３ｂが取り付けられる。パネル２ａ，２ｃにおいて、縦框１２ａの内部空間には、自閉機構４ａ，４ｂの重錘３５などの主たる部品が配置される。パネル部１１は、４辺が縦框１２ａ，１２ｂおよび横框１３ａ，１３ｂに、接ぎ目部分の小さなすき間を埋めるゴム材などのグレチャン１１ａ（図３参照）を介して挟持される。そして、横框１３ａには、上部ランナ６ａ，６ｂが連結されている。
【００２３】
パネル２ａには、引手１４が縦框１２ｂの上下方向の中程に配置されている。引手１４は、パネル２に対して、開閉の妨げとならないように、パネル２の厚さ方向に突出しない凹部によって構成されている。引手１４は、パネル２ａの縦框１２ｂの高さ方向中程に配置されている。また、引手１４は、手前に位置するパネル２ａの縦框１２ｂの手前の面に配置されている。
【００２４】
パネル２ａとパネル２ｂは、下端部において、パネルガイド７によって接続されている。図２に示すように、パネルガイド７は、一例として、全体がＬ字形状を有し固定片７ａと案内片７ｂとを備えた金具であって、固定片７ａが一方のパネル２ｂの下端部にねじなどの固定部材７ｅにより固定され、案内片７ｂの案内突起７ｃが相手のパネル２ａの下端部である例えば横框１３ｂに形成された案内溝７ｄに係合される。パネル２ｂとパネル２ｃも、パネルガイド７によって接続されている。パネルガイド７は、固定片７ａが一方のパネル２ｃの下端部に固定され、案内片７ｂの案内突起７ｃが相手のパネル２ｂの下端部に形成された案内溝７ｄに係合される。これにより、パネルガイド７は、２枚のパネル２を連結することで、パネル２の揺れを抑制する。また、案内突起７ｃが案内溝７ｄの端部に至ったとき、案内突起７ｃを備えたパネルは、他方のパネルを引き連れて移動する。これにより、パネル２ａとパネル２ｂとは連動して移動し、さらに、パネル２ｂとパネル２ｃも連動して移動可能となる。
【００２５】
図３は、全開に近い状態におけるパネル２ａの上部ランナ６ａ、ストッパ５ａ、および、自閉機構４ａの要部斜視図である。上部ランナ６は、ランナ本体１６を備えている。ランナ本体１６には、４個の車輪１７が回転可能に支持され、各車輪１７は、一例として、ボールベアリング付きの車輪であって、上部レール３内をほぼ上下動不能な状態で転動する。ランナ本体１６には、支軸１８の上端が固定され、その支軸１８は、横框１３ａ内に配置された軸保持部材１８ａに挿通されている。軸保持部材１８ａは、パネル２の横框１３ａにネジなどの固定部材で固定されている。また、ランナ本体１６は、ストッパ５ａと連結するための第１連結部１６ａを備えている。
【００２６】
上部ランナ６が配置される上部レール３は、前壁２１と、前壁２１と対向する後壁２２と、前壁２１と後壁２２とを繋ぐ上壁２３とを備える。さらに、上部レール３の下面は、長手方向に沿って、支軸１８が挿通されるレール開口部２４を備え、レール開口部２４を挟んだ両側に、支持片２５を備えている。上部ランナ６は、上部レール３の内部に、長手方向に沿って移動可能に配置される。支持片２５は、上部ランナ６の車輪１７が転動するレールとなる。
【００２７】
図４に示すように、パネル２ａの縦框１２ａに備える第１自閉機構としての自閉機構４ａは、線状部材としてのコード３１と、縦框１２ａ内に配置される移動体３２と、移動体３２に備えられる動滑車３３と、動滑車３３に取り付けられるダンパ３４と、重錘３５とを備えている。なお、パネル２ｃに備える第２自閉機構としての自閉機構４ｂは、自閉機構４ａと同様な構成を有するため、詳細は省略する。
【００２８】
コード３１は、駆動力伝達部材として機能するものであり、パネル２を移動できる程度の強度を有するとともに可撓性を有した紐状部材である。コード３１としては、丸紐、平紐などを代替して使用することができる。このようなコード３１は、一端部と他端部とを備えている。一端部は、矢印Ｄ２方向に位置する壁部３１ｂに近い上面に配置された固定部としての固定具３１ａに固定される第１固定端３０ａである。第１固定端３０ａは、結び玉を備え、この上面に取り付けられた固定具３１ａに係止される。また、コード３１の他端部は、矢印Ｄ１方向に位置する縦框１２ａの上端部に動滑車３３を介して固定される第２固定端３０ｂである。第２固定端３０ｂは、縦框１２ａの上端部を閉塞するキャップ１２に固定される。
【００２９】
図５に示すように、移動体３２は、縦框１２ａ内において、上下方向（矢印Ｄ３方向および矢印Ｄ４方向）に移動可能に取り付けられる部材であって、本体部３２ａと、本体部３２ａが備える案内部としての案内片３２ｂとを備える。案内片３２ｂは、矢印Ｄ３方向および矢印Ｄ４方向に延びており、縦框１２ａの内面に対して突き当てられ線接触している。これにより、移動体３２は、縦框１２ａ内をがたつくことなく、円滑に上下方向に移動することができる。
【００３０】
図６に示すように、本体部３２ａは、第１半体３６ａと第２半体３６ｂとを備えている。第１半体３６ａと第２半体３６ｂとの間には、動滑車３３とダンパ３４とが配置される。第１半体３６ａは、動滑車３３の回転軸３３ａを軸支する軸孔３６ｃを一側面に備えている。軸孔３６ｃには、スリーブ３６ｇが取り付けられ、回転軸３３ａは、スリーブ３６ｇに挿通された状態でＥリングなどの抜け止め部材３６ｆにより抜け止めがされて配置される。また、第１半体３６ａは、上端部に、動滑車３３に巻回されたコード３１が導出される挿通孔３６ｄを２つ備えている。さらに、第１半体３６ａは、下端部に、重錘３５を取り付けるための取付部３６ｅを備えている。取付部３６ｅには、紐３５ａを介して重錘３５が吊り下げられる。
【００３１】
動滑車３３は、コード３１が下側から巻回され、コード３１は、動滑車３３を挟んだ両側の部分が挿通孔３６ｄから導出される。動滑車３３の他方の回転軸に接続されるダンパ３４が接続され、第２半体３６ｂには、ダンパ３４を取り付ける取付孔３７が設けられている。ダンパ３４は、一例として、オイルダンパである。ダンパ３４は、本体部３４ａと接続軸３４ｂとを備え、接続軸３４ｂが動滑車３３に接続される。また、本体部３４ａには、側面に取付凸部３４ｃを備えている。取付凸部３４ｃは、取付孔３７の内周面に形成された取付凹部３７ａに係合される。移動体３２は、移動体３２及び重錘３５の重さによって落下距離が長くなるほど加速する。オイルダンパは、動滑車３３の回転を減速して、パネル２ａの移動速度を遅くし、パネル２が静かに停止するようにする。また、オイルダンパは、移動速度を一定にし、同じ速度でパネル２が移動できるようにする。
なお、第１半体３６ａと第２半体３６ｂとは、ビスなどの固定部材３８により結合される。
【００３２】
動滑車３３を備えた移動体３２は、パネル２が全閉状態のとき、相対的に、縦框１２ａの下方の最下位置に位置し、矢印Ｄ１方向にパネル２が移動するに連れて順次矢印Ｄ３方向に上昇する。また、重錘３５および移動体３２の重さによって、移動体３２は、矢印Ｄ４方向に下降し、下降するときに発生する駆動力をコード３１でパネル２に伝達し、パネル２ａを矢印Ｄ２方向に移動する。自閉機構４ａは、縦框１２ａ内において、動滑車３３にコード３１を下側から巻回し、移動体３２に重錘３５を接続する構成、すなわち間接的にコード３１と接続する構成としたことで、パネル２ａの自閉機能が作用する移動範囲を広くしている。
【００３３】
ストッパ５ａは、上部ランナ６ａに対して、矢印Ｄ１方向側に連結されている。図７に示すように、ストッパ５ａは、上部レール３内を移動するベース４１と、ベース４１に対して回転する回転ベース４２と、回転ベース４２に対して移動する移動ベース４３と、移動ベース４３を付勢する付勢部材４４と、回転ベース４２を回転状態から中立位置に戻す方向に付勢する回転付勢部材４５と、カバー４６とを備えている。回転ベース４２と移動ベース４３とは組み合わされることで、ベース４１に対して回転する回転ユニットを構成する。なお、パネル２ｃに備えるストッパ５ｂは、ストッパ５ａと同様な構成を有するため、詳細は省略する。
【００３４】
ベース４１は、回転ベース４２が配置される部品配置部５１と、上部ランナ６ａと連結するための第２連結部５２と、車輪５３と、コード３１を支持する支持部としての滑車５４とを備えている。第２連結部５２は、上部ランナ６ａの側の端部に突出して設けられており、上部ランナ６ａの第１連結部１６ａとねじなどの固定部材によって連結される。車輪５３は、一例として、ボールベアリング付きの車輪であって、第２連結部５２とは反対側の端部に配置され、ベース４１が上部ランナ６ａに連結されたときに、上部ランナ６ａの車輪１７と協働してベース４１を支持する。
【００３５】
部品配置部５１は、回転ベース４２が回転可能に配置される領域であって、平坦面に、軸部５１ａが配置されている。軸部５１ａには、中心部に軸孔としての中心孔５１ｂが形成され、中心孔５１ｂには、回転ベース４２の回転中心軸５６が挿通される。軸部５１ａには、一例としてねじりコイルばねで構成された回転付勢部材４５が配置される。回転付勢部材４５は、コイル部４５ａと、コイル部４５ａから延出した第１アーム部４５ｂおよび第２アーム部４５ｃとを備えている。軸部５１ａには、コイル部４５ａが嵌められる。部品配置部５１は、突起部５１ｃが配置されている。突起部５１ｃの両側には、回転付勢部材４５の第１アーム部４５ｂおよび第２アーム部４５ｃが配置される。突起部５１ｃは、回転ベース４２の回転に合わせて、第１アーム部４５ｂおよび第２アーム部４５ｃが選択的に係合される。
【００３６】
図８に示すように、回転ベース４２は、基台部５５を備え、基台部５５は、表面側と裏面側に突出した回転中心軸５６を備えている。回転中心軸５６の裏面側の端部は、中心孔５１ｂに挿通され、部品配置部５１において、回転中心軸５６を中心に回転可能に取り付けられる。回転中心軸５６を中心に平坦面と平行な面内を回転可能に取り付けられる。なお、回転中心軸５６の表面側の端部は、ベース４１に配置された回転ベース４２および移動ベース４３を覆うように配置されるカバー４６に形成された支持孔４６ａに係合される（図７参照）。回転ベース４２は、表面の中央部に、一例としてコイルバネで構成された付勢部材４４が配置される第１凹部４７ａが設けられている。第１凹部４７ａの両側には、一対の案内軸５７が配置される。案内軸５７は、各端部が片５７ａに支持されている。案内軸５７は、移動ベース４３の移動を案内する。さらに、基台部５５の裏面には、駆動突起部５８を備えている。駆動突起部５８は、回転ベース４２の回転に合わせて、第１アーム部４５ｂおよび第２アーム部４５ｃが選択的に係合される。そして、駆動突起部５８は、突起部５１ｃに対して回転方向に移動することで、突起部５１ｃとの間隔を広げ、先端部が互いに近接する方向に付勢されている第１アーム部４５ｂおよび第２アーム部４５ｃを、互いに離間する方向に開く。また、基台部５５には、移動ベース４３が取り付けられる側とは反対側の端部に、押圧力を受ける受け部５９を備えている。受け部５９は、上部レール３の後壁２２の内面に当接される。
【００３７】
移動ベース４３は、基台部６１と、弾性部６２と、案内部６３とを備える。基台部６１には、付勢部材４４が配置される第２凹部４７ｂを備えている。案内部６３は、基台部６１に設けられており、案内軸５７が挿通される案内孔を備えている。案内部６３は、一対の片５７ａの間に配置された後に、案内軸５７が挿通される。これにより、移動ベース４３は、案内軸５７に案内されて直線的に移動可能となる。第１凹部４７ａおよび第２凹部４７ｂには、付勢部材４４が配置される。
【００３８】
さらに、基台部６１には、上部レール３の前壁２１の内面に圧接される圧接部ともなる弾性部６２が配置されている。弾性部６２は、ゴムといった弾性体で構成されている。弾性部６２は、円弧面と平坦面とで構成された半円形状を備え、円弧面が前壁２１の内面に対する摺接面とされ、平坦面が基台部６１に対する取付面とされる。基台部６１には、取付突起が突設されており、取付面に穿設された取付孔に係合され、さらに接着剤などの固定手段で固定される。弾性部６２は、受け部５９に対して高摩擦部である。なお、上部レール３の前壁２１の内面は、弾性部６２が接触する第１側面であり、第１接触面である。弾性部６２の位置と受け部５９とは、回転ベース４２の回転中心軸５６を挟んだ対極に位置する。弾性部６２は、常時、付勢部材４４の付勢力によって、前壁２１の内面に圧接されており、受け部５９は、常時、後壁２２の内面に当接されることにより、付勢部材４４の付勢力に伴う反力を受ける。なお、上部レール３の後壁２２の内面は、受け部５９が接触する第２側面であり、第２接触面である。そして、弾性部６２は第１円弧面を備え、受け部５９は第２円弧面を備え、共に、前壁２１の内面および後壁２２の内面と当接する面が円弧面で構成され、内面に対して摺動し易い形状を有している。ただし、受け部５９の第２円弧面の方が第１円弧面より半径の大きい緩やかな円弧面で構成されている。また、受け部５９の第２円弧面の方が第１円弧面より滑らかな低摩擦面で構成されている。このように、受け部５９は、後壁２２の内面に対して滑りやすく構成されている。
【００３９】
間仕切り１は、自閉機構４ａが備えられているため、パネル２を全開状態に維持するロック機構を備えている（図７参照）。具体的に、ロック機構は、ベース４１に設けられるロック部６４と、ロック部６４が係合されるロック受け部６５とを備えている。ロック部６４は、ベース４１の車輪５３側の端部に突設されている。ロック受け部６５は、パネル２ａに対応する上部レール３ａにおける矢印Ｄ１方向に位置する壁部６６に近い位置に設けられており、互いに近接離間する方向に変位する一対の弾性片６５ａによってロック部６４を挟持する。これにより、自動的に矢印Ｄ２方向に移動しようとするパネル２を全開状態に維持することができる。
なお、矢印Ｄ２方向に位置する壁部３１ｂに近い位置にも、自閉機構４ｂによって、パネル２ｃが自動的に閉じないようにするため、パネル２ｃの横框１３ａに備えられたストッパ５ｂのロック部が係合するロック受け部６５が設けられている（図１（ｂ）参照）。
【００４０】
図７に示すように、カバー４６は、ベース４１上に、ベース４１に配置された回転ベース４２および移動ベース４３を覆うように配置される。カバー４６の表面には、長手方向に沿って、コード３１を案内する案内部としての案内溝６７を備えている。カバー４６は、ベース４１に対してねじなどの固定部材６８によって固定される。さらに、ベース４１には、パネル２の縦框１２ａの方向に延びるコード３１が係合される滑車５４が配置される。滑車５４は、車輪５３の近くで、縦框１２ａの方向に延びるコード３１が係合されて、重錘３５の荷重を受ける支持部である。滑車５４の軸５４ａは、ベース４１の軸受５４ｂに回転可能に支持される。
【００４１】
滑車５４は、ベース４１ではなく、縦框１２ａに設けることも可能である。この場合、ストッパ５の構成の簡素化を図ることができる。ところで、支軸１８は、上部ランナ６にパネル２を吊り下げる部材であり、支軸１８に対して軸保持部材１８ａの位置を上下に移動させることで、パネル２の上下位置が調整される（図２および図３参照）。したがって、縦框１２ａに滑車５４を設けたときには、パネル２の上下位置が調整されると、パネル２の上下位置の変動に合わせて、滑車５４の位置も上下に変動することになる。
【００４２】
次に、以上のように構成された間仕切りの作用について説明する。
この間仕切り１では、手前のパネル２ａを矢印Ｄ１方向に移動することで全閉状態から全開状態にすることもできるし、奥側のパネル２ｃを矢印Ｄ２方向に移動することで全閉状態から全開状態にすることができる。そこで、先ずは、手前のパネル２ａを閉方向に移動する場合を説明する。
【００４３】
パネル２ａを移動させて空間を仕切っている全閉状態（図１参照）から全開状態にするには、先ず、パネル２ａの引手１４に手をかけて、パネル２ａを矢印Ｄ１方向に移動する。すると、パネル２ａが同方向に移動し、パネル２ａがパネル２ｂと重なった状態となる（図９（ａ）および（ｂ）参照）。次いで、パネル２ａの押圧突部９がパネル２ｂを押してパネル２ｂが同方向に移動する。図１０（ａ）および（ｂ）に示すように、全開状態のときには、パネル２ａがパネル２ｂの矢印Ｄ１方向の縦框１２ｂ分矢印Ｄ２方向にずれた状態で重なる。自閉機構４ａは、全閉状態にあるとき、重錘３５および移動体３２が最下位置にあり（図１参照）、パネル２ａが矢印Ｄ１方向に移動されることで、重錘３５および移動体３２の重さに抗して重錘３５および移動体３２が順次矢印Ｄ３方向に上昇する（図９（ａ）および（ｂ）参照）。そして、全開状態のとき、移動体３２は、縦框１２ａ内において最上位置となる（図１０（ａ）および（ｂ）参照）。パネル２ａは、全開状態にまで移動されると、壁部６６側のロック受け部６５に第１ロック部としてのロック部６４が係合することで、全開状態が維持される。すなわち、パネル２ａは、自閉機構４ａを備えているが、ロック機構によって、自動的に閉方向に移動してしまうことが抑制される。
【００４４】
図１１に示すように、矢印Ｄ１方向にパネル２ａが移動するとき、上部ランナ６ａと共にストッパ５ａも同方向に上部レール３ａ内を移動する。移動ベース４３の弾性部６２が付勢部材４４の付勢力によって上部レール３ａの前壁２１の内面に圧接されていることで、回転ベース４２は、回転付勢部材４５の付勢力に抗してストッパ５ａの矢印Ｄ１方向への移動に従って回転中心軸５６を中心に矢印Ｄ５方向に回転する。そして、弾性部６２は、前壁２１の内面に対して摺接しながら移動する。
【００４５】
第１パネルとなるパネル２ａを全開状態から閉方向に移動するときは、ロック部６４によるロックを解除してから、ストッパ５ａのロックを解除する。具体的には、パネル２ａの引手１４に手をかけて閉方向となる矢印Ｄ２方向にパネル２ａを操作し、壁部６６側のロック受け部６５からロック部６４を外す。すると、重錘３５および移動体３２の重さによってパネル２ａが矢印Ｄ２方向に移動を開始する。
【００４６】
別の方法として、第１パネルとなる手前のパネル２ａを矢印Ｄ２方向に移動させるには、第２パネルとなる奥側のパネル２ｃを僅かに矢印Ｄ２方向に移動させることで、パネル２ｃとパネルガイド７で接続されたパネル２ｂがパネル２ａの押圧突部９を押してパネル２ａの同方向への移動を開始させることができる。なお、パネル２ｃは、矢印Ｄ２方向に移動させるので、ストッパ５ｂによって、わずかに開いた位置で停止状態となる。このため、パネル２ｃを再度矢印Ｄ１方向に移動させる操作を行う。これにより、パネル２ｃは、ストッパ５ｂによる停止状態が解除され、自閉機構４ｂの作用により全閉状態になるまで移動する。
【００４７】
すると、移動ベース４３の弾性部６２が上部レール３ａの前壁２１の内面に圧接されていることで、回転ベース４２は、回転付勢部材４５の付勢力とも相まって、ストッパ５ａの矢印Ｄ２方向への移動に合わせて第２回転方向である矢印Ｄ６方向に回転しようとする。しかし、矢印Ｄ５方向に回転している回転ベース４２の弾性部６２は、付勢部材４４の付勢力により前壁２１の内面に圧接されているため、自閉機構４ａの重錘３５および移動体３２の重さに基づく駆動力だけでは、回転ベース４２を矢印Ｄ６方向に回転しない。したがって、パネル２ａは、自閉機構４ａによって矢印Ｄ２方向に移動しようとしても、ストッパ５ａによって同方向の移動が阻止され停止状態となる。これにより、パネル２ａのほぼ全開状態が維持される。この間に、利用者は、荷物の移動などを行うことができる。
【００４８】
パネル２ａの矢印Ｄ２方向の移動を再開するには、引手１４に手をかけてパネル２ａを、再度同方向に移動する操作を行う。すると、ストッパ５の矢印Ｄ２方向への移動に従って、回転ベース４２は、前壁２１によって弾性部６２が押圧され付勢部材４４が収縮され、回転中心軸５６を中心に矢印Ｄ６方向に回転される（図１３参照）。これにより、ストッパ５ａによるロックが解除される。図１１から図１３の状態に遷移する過程では、移動ベース４３が前壁２１の内面に対してほぼ垂直の中立状態となる（図１２参照）。このとき、弾性部６２が前壁２１の内面を圧接する圧接力が最大となる。弾性部６２と回転中心軸５６を挟んで対極にある円弧突部としての受け部５９は、後壁２２の内面に当接し、付勢部材４４の反力を受け、回転中心軸５６に対する負荷を軽減する。これにより、回転中心軸５６を曲げる方向の外力が加わっても、当該外力により回転中心軸５６が曲がることを抑制できる。
【００４９】
そして、弾性部６２は、回転ベース４２が矢印Ｄ６方向に回転した状態で前壁２１の内面に対して摺接しながら、パネル２ａが全閉状態となるまで移動する（図１３参照）。自閉機構４ａの移動体３２は、重錘３５および移動体３２がその重さによって、縦框１２ａ内において最下位置まで矢印Ｄ４方向に下降する。すなわち、パネル２ａは、パネル２ｃと重なった状態からパネル２ｂとともに矢印Ｄ２方向に移動する。その後、パネル２ａだけが全閉状態となるまで同方向に移動する（図１参照）。
【００５０】
別の方法として、パネル２ａの矢印Ｄ２方向の移動を再開する操作を行う場合、奥側のパネル２ｃを大きく矢印Ｄ２方向に移動させることで、パネル２ｃとパネルガイド７で接続されたパネル２ｂがパネル２ａの押圧突部９を押してパネル２ａの同方向への移動を開始させることができる。この場合、回転ベース４２は、前壁２１によって弾性部６２が押圧され付勢部材４４が収縮され、回転中心軸５６を中心に矢印Ｄ６方向に回転される（図１３参照）。これにより、ストッパ５ａのロックが解除されてパネル２ａが全閉状態となるまで同方向に移動する。
【００５１】
なお、パネル２ａを全開状態の位置まで移動するのではなく、パネル２ａを途中状態まで開けた場合（例えば図９のようにパネル２ａだけを開けた状態やパネル２ａだけを途中まで開けた場合）次のようになる。自閉機構４ａの移動体３２は、途中まで矢印Ｄ３方向に上昇し、このとき、ストッパ５ａの回転ベース４２は、回転中心軸５６を中心に矢印Ｄ５方向に回転し、弾性部６２は、前壁２１の内面に対して摺接しながら移動する（図１１参照）。そして、引手１４から手を離すと、パネル２ａは、重錘３５および移動体３２の重さによって、移動体３２が矢印Ｄ４方向に下降することを開始する。この際、弾性部６２は、付勢部材４４の付勢力により前壁２１の内面に圧接されているため、自閉機構４の重錘３５および移動体３２の重さに基づく駆動力だけでは、回転ベース４２を矢印Ｄ６方向に回転しない。したがって、パネル２ａは、自閉機構４によって矢印Ｄ２方向に移動しようとしても、ストッパ５によって同方向の移動が阻止され停止状態となる。そして、パネル２ａの矢印Ｄ２方向の移動を再開するには、再度同方向にパネル２ａを移動する操作を行う。
【００５２】
さらに、一気に全開状態から全閉状態にする場合、パネル２ａやパネル２ｃを一気に矢印Ｄ２方向に移動させることで、ロック部６４によるロック解除とストッパ５ａのロックをほぼ同時に解除することができ、その後、パネル２ａを同方向に移動させることができる。
【００５３】
以上の動作は、手前のパネル２ａを矢印Ｄ１方向に移動して全閉状態から全開状態とし、矢印Ｄ２方向に移動して、全開状態から全閉状態とするものであったが、間仕切り１では、さらに奥側のパネル２ｃを矢印Ｄ２方向に移動して全閉状態を全開状態として、矢印Ｄ１方向に移動して、全閉状態とすることができる。
【００５４】
図１４（ａ）および（ｂ）に示すように、先ず、パネル２ｃを矢印Ｄ２方向に移動する。すると、先ずパネル２ｃが同方向に移動し、パネル２ｃがパネル２ｂと重なった状態となる。さらに、同方向にパネル２ｃが移動されると、重なった状態にあるパネルガイド７で接続されたパネル２ｃおよびパネル２ｂは、同方向に移動する。図１５（ａ）および（ｂ）に示すように、そして、パネル２ｃおよびパネル２ｂは、パネル２ａとほぼ重なった全開状態となる。具体的には、全開状態のときには、パネル２ｃ，２ｂは、パネル２ａの矢印Ｄ１方向の縦框１２ｂ分、矢印Ｄ１方向にずれた状態で重なる。自閉機構４ｂは、全閉状態にあるとき、縦框１２ａ内において、自閉機構４ｂの重錘３５および移動体３２が最下位置にあり（図１参照）、パネル２ｃが矢印Ｄ２方向に移動されることで、重錘３５および移動体３２の重さに抗して重錘３５および移動体３２が順次矢印Ｄ３方向に上昇する。そして、全開状態のとき、移動体３２は、縦框１２ｂ内において最上位置となる（図１５（ａ）および（ｂ）参照）。
【００５５】
第１パネルであるパネル２ｃを全開状態から閉方向に移動するときは、ロック部６４によるロックを解除してから、ストッパ５ｂのロックを解除する。具体的には、矢印Ｄ１方向にパネル２ｃを移動操作し、壁部３１ｂ側のロック受け部６５から第２ロック部としてのロック部６４を外す。すると、重錘３５および移動体３２の重さによってパネル２ｃが矢印Ｄ１方向に移動を開始する。
【００５６】
別の方法として、第１パネルである奥側のパネル２ｃを矢印Ｄ１方向に移動させるには、第２パネルとなる手前のパネル２ａを僅かに矢印Ｄ１方向に移動させることで、押圧突部９でパネル２ｂを押してパネル２ｂとパネルガイド７で接続されたパネル２ｃを同方向に移動させる。なお、パネル２ａは、矢印Ｄ１方向に移動させるで、ストッパ５ａによって、わずかに開いた状態で停止状態となる。このため、パネル２ａを再度矢印Ｄ２方向に移動させる操作を行う。これにより、パネル２ａは、ストッパ５ａによる停止状態が解除され、自閉機構４ａの作用により全閉状態になるまで移動する。
【００５７】
これにより、パネル２ｃに関し、ロック受け部６５からロック部６４を外すことができ、この後、自閉機構４ｂによりパネル２ｃは、矢印Ｄ１方向に移動を開始する。しかし、パネル２ｃは、自閉機構４ｂによって矢印Ｄ１方向に移動しようとしても、ストッパ５ｂによって同方向の移動が阻止され、ほぼ全開状態が維持される。この間に、利用者は、荷物の移動などを行うことができる。
【００５８】
パネル２ｃの矢印Ｄ１方向の移動を再開するには、パネル２ｃを、再度同方向に移動する操作を行う。すると、先ず、パネル２ｃだけが同方向に移動する。これにより、ストッパ５ｂによるロックが解除される。そして、パネル２ｃは、パネルガイド７で接続されたパネル２ｂを引っ張るようにして同方向に移動させる。そして、パネル２ｃは、自閉機構４ｂの重錘３５および移動体３２がその重さによって、縦框１２ａ内において最下位置まで矢印Ｄ４方向に下降するまで移動する。重錘３５および移動体３２が最下位置まで下降したところで、全閉状態となる。
【００５９】
別の方法として、パネル２ｃの矢印Ｄ２方向の移動を再開する操作を行う場合、手前のパネル２ａを大きく矢印Ｄ１方向に移動させることで、ロック部６４によるロック解除とストッパ５ｂのロックをほぼ同時に解除することができ、その後、パネル２ｃを同方向に移動させることができる。
【００６０】
さらに、一気に全開状態から全閉状態にする場合、パネル２ａやパネル２ｃを一気に矢印Ｄ２方向に移動させることで、ロック部６４によるロック解除とストッパ５ｂのロックをほぼ同時に解除することができ、その後、パネル２ｃを同方向に移動させることができる。
【００６１】
上記実施の形態によれば、以下のように列挙する効果を得ることができる。
（１）間仕切り１は、手前のパネル２ａを矢印Ｄ１方向に移動して、全閉状態から全開状態にし、矢印Ｄ２方向に操作して、全開状態から全閉状態にすることができる。加えて、奥側のパネル２ｃを矢印Ｄ２方向に移動して、全閉状態から全開状態にし、矢印Ｄ１方向に操作して、全開状態から全閉状態にすることができる。このように２方向からの操作を可能とし、操作性を向上することができる。
【００６２】
（２）手前のパネル２ａを矢印Ｄ１方向に移動して全開状態にした場合において、奥側のパネル２ｃを矢印Ｄ２方向に操作することで、壁部６６側のロック受け部６５からロック部６４を外すことができ、次いで、さらに、ストッパ５ａのロックを解除することができる。その後、自閉機構４ａによりパネル２ａを矢印Ｄ２方向に移動することができる。
加えて、奥側のパネル２ｃを矢印Ｄ２方向に移動して全開状態にした場合において、手前のパネル２ａを矢印Ｄ１方向に操作することで、壁部３１ｂ側のロック受け部６５からロック部６４を外すことができ、次いで、さらに、ストッパ５ｂのロックを解除することができる。その後、自閉機構４ｂによりパネル２ｃを矢印Ｄ１方向に移動することができる。このように、全開状態から全閉状態にするときには、手前のパネル２ａによっても奥側のパネル２ｃの何れのパネルによっても、ロックを解除し、自動的に閉じることができる。これにより、操作性を向上することができる。
【００６３】
（３）パネル２ａとパネル２ｂの動きは、パネルガイド７や押圧突部９によって連動させることができる。また、パネル２ｂとパネル２ｃも、パネルガイド７によって連動させることができる。
【００６４】
（４）引手１４は、パネル２ａの厚さ方向に突出しない凹部によって構成されているので、開閉の妨げにならないようにすることができる。
（５）自閉機構４ａ、４ｂにはストッパ５ａ，５ｂが設けられることで、パネル２の閉方向への移動を停止状態にし、この間に、利用者は、荷物の移動などを行うことができる。そして、再度パネル２を閉方向へ移動する操作をすることで、パネル２の停止状態を解除し、パネル２を同方向へ移動させることができる。
【００６５】
（６）ストッパ５ａ，５ｂの何れにも、ロック部６４を備えている。したがって、パネル２ａを移動して全開状態にしたときにも、パネル２ｃを移動して全開状態としたときにも、ロック部６４をロック受け部６５に係合させることで、全閉状態を維持することができる。
【００６６】
なお、上記実施形態は、以下のように適宜変更して実施することもできる。
・ロック部６４とロック受け部６５で構成されたロック機構は、ストッパ５ａだけに設けられていてもよいし、ストッパ５ｂだけに設けられていてもよい。また、ストッパ５ａ，５ｂに設けていなくてもよい。
【００６７】
・引手１４は設けなくてもよいが、引手１４を設ける場合には、取っ手などパネルから突出する構成であってもよい。また、引手１４は、全てのパネル２に設けてもよい。
・隣り合うパネルを連動させる連動部材としては、パネルガイド７の構成に限定されるものではない。一例として、互いに隣り合うパネルの前面または後面であって、上端部または下端部の近傍において、一方のパネルに案内突起を設け、他方のパネルに案内溝を設けるようにしてもよい。
・押圧突部９は、パネルガイド７を備えていれば、省略してもよい。また、押圧突部９は、パネル２ｃにおけるパネル２ｂと対向するパネル面であって矢印Ｄ１方向の縦框１２ｂにおける上端部または下端部にも設けるようにしてもよい。また、押圧突部９は、パネル２ｃに設けてもよい。
【００６８】
・パネルの枚数は特に限定されるものではなく、２枚でもよいし、４枚以上であってもよい。
・間仕切りは、ストッパ５ａ，５ｂを備えていなくてもよい。また、ストッパ５ａ，５ｂの構成は特に限定されるものではない。図１６は、ストッパ５ａ，５ｂを備えないパネル２のロック部６４の周辺構造を示す斜視図である。ここでは、上部ランナ６に接続される接続体８１を備えている。接続体８１は、ストッパ５に対応する位置に配置されている。接続体８１も車輪５３を備え、ロック部６４は、車輪５３側の端部に突設されている。そして、壁部３１ｂ，６６に近い位置に設けられるロック受け部６５に係合される。これにより、パネルは、全閉状態に維持されることになる。
【００６９】
また、接続体８１を設けるまでもなく、ロック部６４は、パネル２ａの矢印Ｄ１方向の縦框１２ｂの上端部に設けてもよいし、パネル２ｃの矢印Ｄ２方向の縦框１２ｂの上端部に設けてもよい。
【００７０】
・間仕切りは、少なくとも自閉機構４ａ，４ｂの何れか一方を備えていればよい。この場合、自閉機構を備えたパネル２を開状態から閉方向に移動させるときに、自閉機構を備えていないパネル２を同方向に移動させることを契機として、自閉機構を備えたパネル２のロック部６４によるロックを解除し、自閉機構を備えたパネル２の移動を開始させることができる。
【００７１】
・パネル２ａ〜２ｃは、下ランナを横框１３ｂに設け、床面に設けた下部レールでの案内するようにしてもよい。これにより、安定してパネル２ａ〜２ｃを移動させることができる。
【００７２】
・遮蔽装置としては、引戸だけでなく、折引戸、アコーディオンカーテン、パネルスクリーンなどにも適用可能である。開閉操作は、引手１４以外の手段で行うことができるようにしてもよい。一例として、パネルスクリーンの場合、スクリーンの上端部に連結されたバトンなどの操作棒で行うようにしてもよい。
【００７３】
・図１７には、パネルスクリーンを示す。平板状のカーテン生地を使用したパネルカーテンは、複数枚のカーテン生地で構成されたパネル１０１ａ〜１０１ｄがそれぞれ吊下枠１００から吊下支持され、各吊下枠１００がハンガーレール１０２に沿って移動可能に支持される。そして、各パネル１０１ａ〜１０１ｄをハンガーレール１０２に沿って引き出すことにより、そのパネル１０１ａ〜１０１ｄで窓外からの外光を遮り、各パネル１０１ａ〜１０１ｄをハンガーレール１０２の一方に移動させれば、窓面を開放可能となっている。このようなパネルカーテンでは、複数枚のパネル１０１ａ〜１０１ｄを最大限まで引き出したとき、隣り合う各パネル１０１ａ〜１０１ｄの端部が重なり合うようにして、外光の洩れを阻止する。
【００７４】
パネル１０１ａ〜１０１ｄの下端部は、上方に折り返して縫製されて袋状部が形成され、その袋状部内には、ウェイト部材１０３がそれぞれ挿入されている。ウェイト部材１０３の両端部にはウェイトキャップ１０６がそれぞれ嵌着されている。パネル１０１ａ〜１０１ｃの各ウェイトキャップ１０６間には、連動部材としてのガイドコード１０４が張設されている。このガイドコード１０４は、その両端部に形成された結び玉がウェイトキャップ１０６に着脱可能に掛止めされている。
【００７５】
パネル１０１ａ〜１０１ｄのうち、最も室内側に吊下支持されるパネル１０１ａを除き、パネル１０１ｂ〜１０１ｄの先頭側（矢印Ｂ方向）のウェイトキャップ１０６には第１ガイドリング１０５ａがそれぞれ取着されている。各第１ガイドリング１０５ａには、その室内側に位置するパネル１０１ａ〜１０１ｃのウェイトキャップ１０６間に張設されたガイドコード１０４が挿通されている。また、パネル１０１ａ〜１０１ｃのウェイト部材１０３の背面側において、パネル１０１ａ〜１０１ｃの後端側（矢印Ａ方向）には、第２ガイドリング１０５ｂがそれぞれ取着され、その第２ガイドリング１０５ｂにガイドコード１０４が挿通されている。各第２ガイドリング１０５ｂは、同一のガイドコード１０４が挿通された第１ガイドリング１０５ａよりパネル１０１ａ〜１０１ｄの後端側（矢印Ａ方向）に位置し、例えばパネル１０１ａ〜１０１ｃに縫着されている。第１ガイドリング１０５ａおよび第２ガイドリング１０５ｂは、ガイドコード１０４と連携して連動部材として機能する。
【００７６】
パネル１０１ａの先端側には、操作棒１０７が垂下され、その操作棒１０７の操作により、パネル１０１ａをハンガーレール１０２に沿って移動操作可能となっている。
【００７７】
各パネル１０１ａ〜１０１ｄの全閉状態から操作棒１０７を操作して、パネル１０１ａをハンガーレール１０２に沿って矢印Ａ方向に移動させ各パネル１０１ａ〜１０１ｄを一端側に折り畳んだ全開状態にする場合について説明する。この場合、パネル１０１ａの第２ガイドリング１０５ｂがパネル１０１ｂの第１ガイドリング１０５ａに当接するまでは、パネル１０１ａのみが移動する。そして、パネル１０１ａの第２ガイドリング１０５ｂがパネル１０１ｂの第１ガイドリング１０５ａに当接すると、パネル１０１ａに追随してパネル１０１ｂが移動する。同様にして、パネル１０１ｂの第２ガイドリング１０５ｂがパネル１０１ｃの第１ガイドリング１０５ａに当接すると、パネル１０１ｂに追随してパネル１０１ｃが移動する。そして、パネル１０１ｃの第２ガイドリング１０５ｂがパネル１０１ｄの第１ガイドリング１０５ａに当接すると、各パネル１０１ａ〜１０１ｄが全開位置まで移動される。
【００７８】
一方、パネル１０１ａ〜１０１ｄを全閉状態にする場合には、パネル１０１ａを矢印Ｂ方向に移動させる。すると、パネル１０１ａの先端部がパネル１０１ｂの第１ガイドリング１０５ａの位置に移動した時点で、パネル１０１ｂがパネル１０１ａに追随して移動する。同様にして、パネル１０１ｂの先端部がパネル１０１ｃの第１ガイドリング１０５ａの位置に移動すると、パネル１０１ｃがパネル１０１ｂに追随して移動する。パネル１０１ｃの先端部がパネル１０１ｄの第１ガイドリング１０５ａの位置に移動すると、パネル１０１ａ〜１０１ｄが全閉位置まで移動する。
【００７９】
このようなパネル１０１ａ〜１０１ｄは、上述のように縦框を備えていない。このため、パネル１０１ａの自閉機構４ａは、パネル１０１ａ側の壁面框１１１の内側の収納空間部１１１ａに、移動体３２、動滑車３３、ダンパ３４、重錘３５などの主要部品が配置され、コード３１の一端は、パネル１０１ａの吊下枠１００に固定され、他端は、パネル１０１ａ側の壁面框１１１の内側に固定される。また、パネル１０１ｄの自閉機構４ｂは、パネル１０１ｄ側の壁面框１１２の内側の収納空間部１１２ａに、移動体３２、動滑車３３、ダンパ３４、重錘３５などの主要部品が配置され、コード３１の一端は、パネル１０１ｄの吊下枠１００に固定され、他端は、パネル１０１ｄ側の壁面框１１２の内側に固定される。また、壁面框１１１，１１２には、ロック受け部６５が設けられており、パネル１０１ａ，１０１ｄのロック部６４が設けられ、全閉状態が維持される（図１７では不図示）。
【００８０】
このような図１７に示すパネルスクリーンは、間仕切り１におけるパネル２ａ〜２ｃをパネル１０１ａ〜１０１ｄに置換し、自閉機構４ａ，４ｂの主要部品を壁面框１１１，１１２の内側に移動させた構成となる。したがって、上述した間仕切り１と同様な作用効果を得ることができる。
【００８１】
図１７に示す壁面框１１１，１１２は、壁面に対して内部に入り込むように配置されている。これに対して、壁面框１１１，１１２は、壁面に対して突出するように配置されていてもよい。この場合、壁面框１１１，１１２を壁面に対して容易に後付けすることができる。
【符号の説明】
【００８２】
１…間仕切り、２，２ａ〜２ｃ…パネル、３，３ａ〜３ｃ…上部レール、４，４ａ，４ｂ…自閉機構、５，５ａ，５ｂ…ストッパ、６，６ａ，６ｂ，６ｘ，６ｙ…上部ランナ、７…パネルガイド、８…床付けマグネット、９…押圧突部、１１…パネル部、１１ａ…グレチャン、１２…キャップ、１２ａ，１２ｂ…縦框、１３ａ，１３ｂ…横框、１４…引手、１６…ランナ本体、１６ａ…第１連結部、１７…車輪、１８…支軸、１８ａ…軸保持部材、１９…クッション、１９ａ…クッション部、１９ｂ…弾性片、２１…前壁、２２…後壁、２３…上壁、２４…レール開口部、２５…支持片、３０ａ…第１固定端、３０ｂ…第２固定端、３１…コード、３１ａ…固定具、３１ｂ…壁部、３２…移動体、３２ａ…本体部、３２ｂ…案内片、３３…動滑車、３３ａ…回転軸、３４…ダンパ、３４ａ…本体部、３４ｂ…接続軸、３４ｃ…取付凸部、３５…重錘、３５ａ…紐、３６ａ…第１半体、３６ｂ…第２半体、３６ｃ…軸孔、３６ｄ…挿通孔、３６ｅ…取付部、３６ｆ…抜け止め部材、３６ｇ…スリーブ、３７…取付孔、３７ａ…取付凹部、３８…固定部材、４１…ベース、４２…回転ベース、４３…移動ベース、４４…付勢部材、４５…回転付勢部材、４５ａ…コイル部、４５ｂ…第１アーム部、４５ｃ…第２アーム部、４６…カバー、４６ａ…支持孔、４７ａ…第１凹部、４７ｂ…第２凹部、５１…部品配置部、５１ａ…軸部、５１ｂ…中心孔、５１ｃ…突起部、５２…第２連結部、５３…車輪、５４…滑車、５４ａ…軸、５４ｂ…軸受、５５…基台部、５６…回転中心軸、５７…案内軸、５７ａ…片、５８…駆動突起部、５９…受け部、６１…基台部、６２…弾性部、６３…案内部、６４…ロック部、６５…ロック受け部、６５ａ…弾性片、６６…壁部、６７…案内溝、６８…固定部材、８１…接続体、１００…吊下枠、１０１ａ〜１０１ｄ…パネル、１０２…ハンガーレール、１０３…ウェイト部材、１０４…ガイドコード、１０５ａ…第１ガイドリング、１０５ｂ…第２ガイドリング、１０６…ウェイトキャップ、１０７…操作棒、１１１…壁面框、１１１ａ…収納空間部、１１２…壁面框、１１２ａ…収納空間部。
【図１】
2018193719.tif 000003
【図２】
2018193719.tif 000004
【図３】
2018193719.tif 000005
【図４】
2018193719.tif 000006
【図５】
2018193719.tif 000007
【図６】
2018193719.tif 000008
【図７】
2018193719.tif 000009
【図８】
2018193719.tif 000010
【図９】
2018193719.tif 000011
【図１０】
2018193719.tif 000012
【図１１】
2018193719.tif 000013
【図１２】
2018193719.tif 000014
【図１３】
2018193719.tif 000015
【図１４】
2018193719.tif 000016
【図１５】
2018193719.tif 000017
【図１６】
2018193719.tif 000018
【図１７】
2018193719.tif 000019